(57)【要約】【課題】  余分な接着剤のはみ出しを抑制でき、さらに、製造時に反りが生じ難い壁紙用目地部材を提供する。【解決手段】  隣接する２つの壁紙の側端縁間に設けられる壁紙用目地部材１であって、第１壁紙９１の側端縁を突き合わせ可能な第１側面部２１と、第２壁紙９２の側端縁を突き合わせ可能な第２側面部２２と、第１側面部２１の前方及び第２側面部２２の前方に跨がって設けられた表面部２３と、表面部２３の反対側に位置し且つ施工時に壁面１０に接する裏面部２４と、を有する長尺状の立設部２と、第１側面部２１の後方から外方へ延設され且つ壁面１０と第１壁紙９１の間に介在する貼付部３と、を有し、立設部２内に、長手方向に延びる中空部５が形成されており、裏面部２４に、中空部５に連通し且つ長手方向に延びるスリット４が形成されている。【選択図】  図５
2014224348.tif 000002
【特許請求の範囲】
【請求項１】
隣接する２つの壁紙の側端縁間に設けられる壁紙用目地部材において、
第１壁紙の側端縁を突き合わせ可能な第１側面部と、第２壁紙の側端縁を突き合わせ可能な第２側面部と、第１側面部の前方及び第２側面部の前方に跨がって設けられた表面部と、前記表面部の反対側に位置し且つ施工時に壁面に接する裏面部と、を有する長尺状の立設部と、
前記第１側面部の後方から外方へ延設され且つ壁面と第１壁紙の間に介在する貼付部と、を有し、
前記立設部内に、長手方向に延びる中空部が形成されており、
前記裏面部に、前記中空部に連通し且つ長手方向に延びるスリットが形成されている、壁紙用目地部材。
【請求項２】
前記スリットが、立設部の幅方向中途部において長手方向に延びて形成されている、請求項１に記載の壁紙用目地部材。
【発明の詳細な説明】
【技術分野】
【０００１】
本発明は、隣接する壁紙の境界部に設けられる壁紙用目地部材に関する。
【背景技術】
【０００２】
従来、特許文献１には、クロスとクロスの突き合わせに配され、クロスと壁面の間に位置する一対の貼着部及び該貼着部から立設しクロスの端が接する立設部と、この立設部に形成された溝部と、によって構成されるベース板と、前記立設部の溝部に係止する挿入部及び前記立設部を覆う目地隠し部から構成される止め具と、を備えるクロス目地部材が開示されている。
かかるクロス目地部材の施工は、ベース板を壁面に取り付け、立設部に壁紙の端を当てながら一対の貼着部の表面に壁紙を貼付した後、立設部の溝部に止め具を取り付けることによって行われる。
【０００３】
しかしながら、上記従来のクロス目地部材を用いた場合には、予め壁面の割り付け（壁面に対する壁紙の貼付位置を予め決めておくこと）を行い、その割り付けに従って複数のベース板を所定間隔を開けて取り付けた後、順次、壁紙を貼付しなければならない。さらに、壁紙を貼付した後には、止め具の取り付け作業も行わなければならない。
また、上記クロス目地部材及び壁紙の施工後、例えば、１つのクロス目地部材が破損などしてそれを交換する場合には、左右の壁紙も引き剥がさなければならないという問題点もある。
なお、クロス目地部材を用いずに施工された既存の壁紙構造体について、その一部の壁紙を貼り替えた場合には、新規な壁紙と既存の壁紙との境界部において段差が生じるので、壁紙構造体の外観が損なわれる。
【０００４】
さらに、接着剤を用いて壁紙用目地部材を壁面に取り付けた際、余分な接着剤が壁紙用目地部材の縁からはみ出るため、これを拭き取らなければならず、その拭き取り作業が煩雑である。
また、壁紙用目地部材は、長尺状であり、通常、熱可塑性樹脂の押出し成形によって製造されるため、冷却時の収縮差に因る反りが生じやすいという問題点がある。
【先行技術文献】
【特許文献】
【０００５】
【特許文献１】実用新案登録第３１２８３７７号公報
【発明の概要】
【発明が解決しようとする課題】
【０００６】
本発明の目的は、接着剤を用いて取り付けた際には余分な接着剤のはみ出しを抑制でき、さらに、製造時に反りが生じ難く、既存の壁紙の一部を残しつつ必要な箇所のみを新規な壁紙に貼り替えても好ましい外観の壁紙構造体を構築できる壁紙用目地部材を提供することである。
【課題を解決するための手段】
【０００７】
本発明の壁紙用目地部材は、隣接する２つの壁紙の側端縁間に設けられる部材であって、第１壁紙の側端縁を突き合わせ可能な第１側面部と、第２壁紙の側端縁を突き合わせ可能な第２側面部と、第１側面部の前方及び第２側面部の前方に跨がって設けられた表面部と、前記表面部の反対側に位置し且つ施工時に壁面に接する裏面部と、を有する長尺状の立設部と、前記第１側面部の後方から外方へ延設され且つ壁面と第１壁紙の間に介在する貼付部と、を有し、前記立設部内に、長手方向に延びる中空部が形成されており、前記裏面部に、前記中空部に連通し且つ長手方向に延びるスリットが形成されている。
【０００８】
本発明の好ましい壁紙用目地部材は、前記スリットが、立設部の幅方向中途部において長手方向に延びて形成されている。
【発明の効果】
【０００９】
本発明の壁紙用目地部材を用いれば、予め壁面に割り付けを行わなくても、その取り付け及び壁紙の貼付を順次行うことができ、さらに、既存の壁紙の一部を残しつつ新規な壁紙に貼り替えても、好ましい外観の壁紙構造体とすることができる
また、本発明の壁紙用目地部材を接着剤を用いて壁面に取り付けた際、余分な接着剤がスリットを通じて中空部内に入り込むので、壁紙用目地部材の縁から余分な接着剤がはみ出すことを抑制できる。
さらに、本発明の壁紙用目地部材は、製造時に反りが生じ難いので、取り扱い易く、壁面に沿わせて取り付けることができる。
【図面の簡単な説明】
【００１０】
【図１】本発明の第１実施形態に係る壁紙用目地部材の正面図。
【図２】同背面図。
【図３】図１のＩＩＩ−ＩＩＩ線で切断した拡大断面図（壁紙用目地部材を幅方向で切断した拡大断面図）。
【図４】壁面用目地部材及び壁紙を壁面に施工した状態の一部省略正面図。
【図５】図４のＶ−Ｖ線で切断した拡大断面図。
【図６】（ａ）及び（ｂ）ともに、本発明の第２実施形態に係る壁紙用目地部材を幅方向で切断した拡大断面図。
【図７】本発明の第３実施形態に係る壁紙用目地部材を幅方向で切断した拡大断面図。
【図８】（ａ）及び（ｂ）ともに、本発明の第４実施形態に係る壁紙用目地部材を幅方向で切断した拡大断面図。
【図９】（ａ）及び（ｂ）ともに、本発明の第５実施形態に係る壁紙用目地部材を幅方向で切断した拡大断面図。
【発明を実施するための形態】
【００１１】
以下、本発明について図面を参照しつつ説明する。
なお、本明細書において、便宜上、方向を示す用語として、「後方」は、壁紙用目地部材を壁面に施工した際を基準にして、壁面に近づく側を、「前方」は、これと反対に壁面から離れる側を指す。また、「外方」は、立設部から離れる側を、「内方」は、立設部に近づく側を指す。
また、第１、第２という序数詞を用語に付加する場合があるが、この序数詞は、用語を区別するために用いられているものであって、順序や優劣などの特別な意味を有さない。
本明細書において、「ＰＰＰ〜ＱＱＱ」という記載は、「ＰＰＰ以上ＱＱＱ以下」を意味する。
【００１２】
［第１実施形態］
図１乃至図３において、本発明の壁紙用目地部材１は、立設部２と、立設部２の一方側から延設された貼付部３と、を有する。本発明の壁紙用目地部材１は、立設部２の他方側に、前記のような貼付部３を有さない。
前記壁紙用目地部材１は、施工時に、隣接する２つの壁紙（第１壁紙及び第２壁紙）の側端縁間に設けられる。
壁紙用目地部材１は、全体として直線状に延びる長尺状の部材である。従って、立設部２及び貼付部３も長尺状である。壁紙用目地部材１の長手方向の長さは、特に限定されないが、例えば、５０ｃｍ〜３００ｃｍである。
【００１３】
前記長尺状の立設部２は、第１壁紙の一方の側端縁を突き合わせ可能な第１側面部２１と、第２壁紙の一方の側端縁を突き合わせ可能な第２側面部２２と、第１側面部２１の前方及び第２側面部２２の前方に跨がって設けられた表面部２３と、表面部２３とは反対側に位置し且つ施工時に壁面に接する裏面部２４と、を有する。裏面部２４には、長手方向に延びるスリット４が形成されている。前記スリット４は、立設部２内の中空部５に連通されている。
【００１４】
前記貼付部３は、前記第１側面部２１の後方から外方へ延設されている。前記貼付部３は、壁紙用目地部材１の施工時に、壁面と第１壁紙の間に介在される部分である。
前記立設部２と貼付部３は、一体的に形成されている。もっとも、立設部２と貼付部３を別体で形成し、その貼付部３を立設部２に接着剤を用いて固着することによって壁紙用目地部材１が構成されていてもよい。
【００１５】
具体的には、前記立設部２は、第１側面部２１を含む第１側面壁２１１と、表面部２３を含む表面壁２３１と、第２側面部２２を含む第２側面壁２２１と、裏面部２４を含む第１裏面壁２４１及び第２裏面壁２４２と、からなる。これらの各壁２１１，２２１，２３１，２４１，２４２は、長手方向に延びる細長板状である。立設部２は、第１裏面壁２４１と第２裏面壁２４２の間を除いて、隣接する各壁が繋がって構成されている。
詳しくは、前記第１裏面壁２４１の左端と第１側面壁２１１の後端が連設され、その第１側面壁２１１の前端と表面壁２３１の左端が連設され、その表面壁２３１の右端と第２側面壁２２１の前端が連設され、その第２側面壁２２１の後端と第２裏面壁２４２の右端が連設されている。これらの各壁で囲われた範囲に、中空部５が生じている。つまり、中空部５は、第１側面壁２１１、表面壁２３１、第２側面壁２２１、第１裏面壁２４１及び第２裏面壁２４２の各内面で区画される空間である。
第１裏面壁２４１の右端と第２裏面壁２４２の左端とは、所要間隔を開けて離れており、これらの間に、スリット４が形成されている。このスリット４は、前記中空部５に通じている。スリット４は、裏面部２４の幅方向中途部に形成されている。本実施形態では、スリット４は、立設部２の幅方向中央部に形成され、また、第１裏面壁２４１の幅と第２裏面壁２４２の幅は、略同じとされている。なお、本明細書で、幅は、幅方向の長さであり、幅方向は、長手方向と直交する方向（短手方向）である。
【００１６】
前記立設部２において、第１側面部２１は、第１側面壁２１１の外面から構成され、表面部２３は、表面壁２３１の外面から構成され、第２側面部２２は、第２側面壁２２１の外面から構成され、裏面部２４は、第２裏面壁２４２の外面と第１裏面壁２４１の外面から構成されている。前記第２裏面壁２４２の外面と第１裏面壁２４１の外面は、何れも平坦状で且つ同一平面上にある。従って、前記裏面部２４は、平坦状であり、壁面に沿わせることができる。
前記表面部２３は、裏面部２４と略平行な平坦状に形成されている。もっとも、表面部２３は、平坦面に限られず、例えば、前方に膨らむ弧状面などに形成されていてもよい。
第１側面部２１及び第２側面部２２は、その前方から後方に向かうに従って内方に傾斜した傾斜面とされている。この傾斜角度は、それぞれ鋭角であり、好ましくは４５度〜８５度であり、より好ましくは５０度〜８０度である。なお、前記傾斜角度は、裏面部２４を含む平面に対して、第１側面部２１及び第２側面部２２が成す２つの角度のうち小さい方の角度をいう。
好ましくは、前記第１側面部２１及び第２側面部２２は、表面部２３の幅方向中心を通り且つ裏面部２４に対して垂直な仮想線を基準にして、略線対称形となっている。前記略線対称形とは、第１側面部２１から貼付部３が延設されていることを除いて線対称形という意味である。つまり、壁紙用目地部材１をその長手方向から見たとき、貼付部３を除いた第１側面部２１の形状と、第２側面部２２の形状とは、線対称形状とされている。もっとも、前記第１側面部２１及び第２側面部２２は、線対称形状に形成されている場合に限定されるわけではない。
【００１７】
前記貼付部３は、全体として薄板状に形成され、その基端が第１側面部２１に連設され且つその先端が自由端とされている。貼付部３の長手方向の長さは、立設部２と同じであり、貼付部３の裏面は、立設部２の裏面部２４に連続した平坦面とされている。
貼付部３の肉厚は、その基端から先端まで均一であってもよいが、貼付部３の表面に壁紙を貼付した際に、貼付部３の先端の厚みに対応する段差がその壁紙の表面に現れないようにするために、貼付部３の肉厚は、基端において最も厚く、先端に向かうに従って徐々に薄くなっていることが好ましい。特に、貼付部３の先端部は、尖状に形成されていることがより好ましい。
従って、貼付部３の表面は、貼付部３の基端から先端に向かうに従って後方に傾斜した傾斜面とされている。なお、貼付部３の表面は、図３に示すように、貼付部３の基端から先端に向かう中途部にかけて平坦であり、前記中途部から先端に向かうに従って徐々に後方に傾斜した傾斜面とされていてもよい。
【００１８】
貼付部３の基端における肉厚は、例えば、０．２ｍｍ〜２．０ｍｍであり、好ましくは０．３ｍｍ〜１．５ｍｍであり、より好ましくは、０．４ｍｍ〜１．０ｍｍである。貼付部３の基端における肉厚が余りに薄いと、立設部２に対する貼付部３の連結強度が不足するおそれがあり、一方、貼付部３の基端における肉厚が余りに厚いと、貼付部３の表面に貼付した壁紙が膨れて見え、壁紙構造体の外観が悪くなるおそれがある。
貼付部３の先端における肉厚は、例えば、０を超え０．８ｍｍ以下であり、好ましくは０．１ｍｍ〜０．６ｍｍである。
【００１９】
貼付部３の幅は、特に限定されないが、例えば、５ｍｍ〜３０ｍｍであり、好ましくは５ｍｍ〜２５ｍｍであり、より好ましくは５ｍｍ〜２０ｍｍである。貼付部３の幅が余りに小さいと、壁紙用目地部材１の壁面に対する取付安定性が悪くなり、貼付部３の幅が余りに大きいと、貼付部３を形成するための材料が多くなる一方で、施工時に貼付部３が変形又は欠落するおそれがあり、取り扱い性が悪くなる。
表面部２３の幅（立設部２の幅に相当する）は、１ｍｍ〜２０ｍｍであり、好ましくは２ｍｍ〜１５ｍｍであり、より好ましくは３ｍｍ〜１０ｍｍである。立設部２の幅が余りに小さいと、施工時に立設部２が欠落するおそれがあり、取り扱い性が悪くなる。また、立設部２の幅が余りに大きいと、壁紙用目地部材１が目立ち過ぎて、壁紙構造体の外観が悪くなるだけでなく、ハサミやカッター等を用いて壁紙用目地部材１を切断することが困難になるおそれがある。
第１側面部２１及び第２側面部２２が後方に向かうに従って内方に傾斜している本実施形態にあっては、裏面部２４の幅は、前記表面部２３の幅よりも少し小さい。
【００２０】
必要に応じて、立設部２の外面に化粧層（図示せず）を設けてもよい。例えば、第１側面部２１、表面部２３及び第２側面部２２に、化粧シートを貼り付ける。化粧層を設けることにより、施工時に壁紙間において露出する立設部２を、綺麗に見せることができる。
化粧層としては、所望の模様が印刷された薄いシートを用いることができる。そのシートの厚みは、特に限定されないが、例えば、２０μｍ〜２００μｍである。化粧シートは、接着剤又は粘着剤などを用いて立設部２の外面に固着される。また、化粧シートを用いずに、立設部２の外面に所望の模様又は色などを直接印刷することによって、化粧層を設けてもよい。
【００２１】
立設部２の突出高さは、特に限定されないが、第１壁紙の側端縁が第１側面部２１の前方端を超えて表面部２３から覗き出ないようにするため、壁紙の厚みよりも大きいことが好ましい。具体的には、前記立設部２の突出高さは、壁紙の厚みにも因るが、１ｍｍ〜１０ｍｍであり、好ましくは２ｍｍ〜５ｍｍである。
なお、前記立設部２の突出高さは、第１側面部２１の前方端から後方端（貼付部３）までの長さである。貼付部３が設けられていない第２側面部２２の高さは、第１側面部２１の高さよりも長いので、第１側面部２１の突出高さが前記長さであれば、第２壁紙の側端縁が第２側面部２２の前方端から覗き出ることはない。
【００２２】
立設部２を構成する第１側面壁２１１、表面壁２３１、第２側面壁２２１、第１裏面壁２４１及び第２裏面壁２４２の各肉厚は、強度などを考慮すると、例えば、０．５ｍｍ〜１．５ｍｍであり、好ましくは、０．８ｍｍ〜１．２ｍｍである。
また、スリット４の幅は、特に限定されないが、余りに大きいと、実質的に第１裏面壁２４１及び第２裏面壁２４２が存在しなくなり、余りに小さいと、スリット４を設ける意義が無くなるので、例えば、０．２ｍｍ〜２ｍｍであり、好ましくは、０．７ｍｍ〜１．２ｍｍである。
【００２３】
壁紙用目地部材１の形成材料は、特に限定されないが、例えば、合成樹脂、アルミニウムなどの金属などが挙げられる。安価に形成でき且つ切断も行い易いことから、壁紙用目地部材１は合成樹脂で形成されていることが好ましい。
前記合成樹脂としては、例えば、塩化ビニル、ポリエチレン、ポリプロピレン、ポリエチレンテレフタレート、ポリメチルメタクリレート、ポリカーボネート、ＡＢＳ樹脂などの熱可塑性樹脂を用いることができる。
本発明の壁紙用目地部材１は、立設部２にスリット４が形成されているので、それを合成樹脂にて製造しても反りが生じ難くなる。
詳しくは、溶融させた熱可塑性樹脂を、図３に示すような形状の隙間を有する耐圧金型から押し出し成形し、その成形品を水で急速に冷却することにより、図１乃至図３に示すような壁紙用目地部材１を製造できる。この水冷の際に、スリット４から中空部５内に水が入り込むので、立設部全体が急速に冷却され、変形や反りが生じ難くなるので、真直性が高い壁紙用目地部材１を得ることができる。前記冷却後の水は、スリット４を介して中空部５から外部に流出及び蒸発する。なお、このスリット４が形成されていない場合には、中空部５内に水が殆ど入り込まず、立設部２の外面にだけ水が接するので、立設部２の内部に熱が残り、水冷後、徐々に放熱されて収縮差が生じる結果、反りが発生するおそれがある。
【００２４】
本発明の壁紙用目地部材１は、必要に応じて適宜な長さに裁断し、壁面に取り付けられる。壁紙用目地部材１は、立設部２が中空状であるため、ハサミやカッター等の切断具を用いて良好に切断することができる。特に、裏面部２４にスリット４が形成されているので、切断具による圧力が加わった際に立設部２が変形し、応力が集中することを防止できる。このため、切断時に壁紙用目地部材１が破損又は変形し難くなる。
【００２５】
上記壁紙用目地部材１を用いた壁紙構造体の施工方法は、１つの壁紙を壁面に貼付する工程、その施工済みの壁紙の側端縁に、壁紙用目地部材１の第２側面部２２を突き合わせながら壁紙用目地部材１を壁面に取り付ける工程、その施工済みの壁紙用目地部材１の第１側面部２１に、もう１つの壁紙の側端縁を突き合わせながらその壁紙を貼付部３の表面及び壁面に貼付する工程、を有する。
【００２６】
具体的には、図４及び図５に示すように、裏面に壁紙用接着剤８２が塗布された１つの壁紙９２（第２壁紙）を壁面１０に貼付する。壁紙用目地部材１の裏面部２４及び貼付部３の裏面に部材用接着剤８３を塗布し、前記施工済みの第２壁紙９２の一方の側端縁に、壁紙用目地部材１の第２側面部２２を突き合わせて、壁紙用目地部材１の裏面部２４及び貼付部３の裏面を壁面１０に押し付けながら取り付ける。本発明の壁紙用目地部材１は、立設部２の他方側である第２側面部２２から貼付部３が延設されていないので、施工済みの第２壁紙９２の側端縁に第２側面部２２を当てることによって、壁紙用目地部材１を位置決めでき、これを壁面１０に取り付けることができる。
なお、壁紙用目地部材１の貼付部３の先端において、その先端と壁面１０との間に比較的大きな段差が生じている場合には、パテ剤６などを塗布して前記段差を埋めて平準化することが好ましい。また、前記パテ剤６の塗布に代えて又はこれと併用して、前記壁紙用目地部材１の貼付部３の先端をヤスリがけして段差を消失させることが好ましい。
【００２７】
本発明の壁紙用目地部材１は、裏面部２４にスリット４が形成されているので、前記壁紙用目地部材１を壁面１０に押し付けた際、余分な部材用接着剤８３がスリット４を通じて中空部５に入り込む。このため、余分な部材用接着剤８３が壁紙用目地部材１の縁からはみ出ることを抑制できる。さらに、中空部５に入り込んだ部材用接着剤８３が硬化すると、その硬化接着剤８３が立設部２を補強するため、中空状の立設部２に異物が当たっても立設部２が潰れ難くなる。
さらに、前記中空部５に入り込み且つ硬化した後の部材用接着剤８３のアンカー効果により、壁紙用目地部材１を壁面１０により強固に固定することができる。特に、スリット４の幅が、中空部５の幅よりも小さいので、その中空部５に入り込んだ部材用接着剤８３のアンカー効果がより高くなる。
また、裏面部２４にスリット４が形成されているので（つまり、裏面部２４が第１裏面壁２４１及び第２裏面壁２４２からなるので）、立設部２をその幅方向において湾曲させやすくなり、壁面１０の不陸に沿って壁紙用目地部材１を壁面１０に密着させることができる。
【００２８】
前記のように壁紙用目地部材１を壁面１０に取り付けた後、裏面に壁紙用接着剤８１が塗布されたもう１つの壁紙９１（第１壁紙）の一方の側端縁を、前記施工済みの壁紙用目地部材１の第１側面部２１に突き合わせながら、壁紙用目地部材１の貼付部３の表面及び壁面１０に第１壁紙９１を貼付する。第１壁紙９１を貼り付けると、壁紙用目地部材１の貼付部３は、第１壁紙９１と壁面１０の間に介在するようになる。
事後、その施工済みの第１壁紙９１の他方の側端縁に、次の壁紙用目地部材１を同様にして取り付けていくことにより、隣接する壁紙の境界部に壁紙用目地部材１が配置された壁紙構造体１１を得ることができる。
【００２９】
このように本発明の壁紙用目地部材１を用いれば、予め壁面１０に割り付けを行わなくても、壁紙用目地部材１の取り付け及び壁紙９１，９２の貼付を順次行うことができる。
また、立設部２の第１側面部２１及び第２側面部２２は略線対称形とされているので、隣接する２つの壁紙９１，９２の境界部が目立ち難く、外観的に綺麗な壁紙構造体１１を得ることができる。
そして、施工後、壁紙用目地部材１が破損する或いは壁紙が部分的に汚れるなどにより、１つの壁紙用目地部材１又は１つの壁紙９１を交換したい場合がある。従来のクロス用目地部材１を交換する場合には、それに突き合わされた２つの壁紙を少なくとも引き剥がさなければならないが、本発明の壁紙用目地部材１によれば、その貼付部３の表面に貼付されている第１壁紙９１を引き剥がすだけで、壁紙用目地部材１を取り外すことができる。
【００３０】
また、壁紙用目地部材１が用いられていない既存の壁紙構造体の壁紙を残しつつ、そのうちの一部の壁紙を貼り替えたい場合もある。この点、本発明の壁紙用目地部材１を用いれば、残した壁紙の側端縁に第２側面部２２を突き合わせ、新規な壁紙を貼り且つその新規な壁紙の側端縁を第１側面部２１に突き合わることにより、一部を貼り替えた壁紙構造体を施工できる。このように壁紙用目地部材１を取り付けることにより、新規な壁紙と既存の壁紙との境界部を綺麗に仕上げることができる。
なお、本発明の壁紙用目地部材１は、第１及び第２側面部２１，２２が対称形であるため、反転させて使用することも可能である。つまり、新規な壁紙を貼り合わす両側には、既存の壁紙がそれぞれ残っている場合があるが、壁紙用目地部材１を反転させれば、その既存の壁紙の何れにも第２側面部２２を突き合わせることができる。真直性の高い本発明の壁紙用目地部材１は、その側面部の真直性も高いので、前記第１及び第２側面部２１，２２を壁紙に突き合わせた際に、側面部と壁紙との隙間が生じにくくなり、より綺麗に仕上げることが可能となる。
【００３１】
本発明の壁紙用目地部材は、上記第１実施形態に限られず、本発明の意図する範囲で様々に変更できる。以下、本発明の他の実施形態を説明するが、上記第１実施形態と同様な構成及び効果並びに使用方法については説明を省略し、用語及び符号をそのまま援用する。
【００３２】
［第２実施形態］
上記第１実施形態においては、裏面部２４に形成されたスリット４が、立設部２の幅方向中央部に配置されているが、これに限定されず、例えば、図６（ａ）に示すように、スリット４が、立設部２の幅方向中央部を基準にして第１側面部２１寄りに形成されていてもよいし、或いは、同図（ｂ）に示すように、立設部２の幅方向中央部を基準にして第２側面部２２寄りに形成されていてもよい。このようにスリット４は、立設部２の幅方向中途部に形成されていればよいが、中でも、スリット４は、立設部２の幅方向中央部又は第１側面部２１寄りに配置されていることが好ましい。スリット４が第１側面部２１寄りに形成されることにより、相対的に第２裏面壁２４２が大きくなるので、第２側面部２２に対応する裏面部２４（第２裏面壁２４２）の壁面１０に対する接着面積が大きくなり、壁紙用目地部材１を安定的に壁面１０に取り付けることができる。
【００３３】
［第３実施形態］
また、上記第１実施形態においては、第１側面部２１及び第２側面部２２が前方から後方に向かうに従って内方に傾斜した傾斜面とされているが、これに限定されず、例えば、図７に示すように、第１側面部２１及び第２側面部２２が裏面部２４に対して略直交するような平坦面とされていてもよいし、或いは、特に図示しないが、上記第１実施形態とは逆に、第１側面部２１及び第２側面部２２が前方から後方に向かうに従って外方に傾斜した傾斜面とされていてもよい。また、第１側面部２１及び第２側面部２２は、略線対称形に限られず、非対称形でもよい。非対称形としては、例えば、第１側面部２１が傾斜面とされ、且つ、第２側面部２２が裏面部２４に対して略直交する平坦面とされている場合などが挙げられる。
第３実施形態の壁紙用目地部材１も真直性が高く、かかる壁紙用目地部材１を用いた場合も、上記第１実施形態と同様に、側面部と壁紙との隙間が生じにくくなるので、より綺麗に仕上げることが可能となる。
【００３４】
［第４実施形態］
上記第１実施形態において、立設部２の表面部２３は、平坦状に形成されているが（表面部２３が平坦状であるため、立設部２の外形が略矩形状に形成されている）、これに限定されず、例えば、図８（ａ）に示すように、表面部２３が外側に膨らむ弧状面に形成されていてもよい。
また、上記第１実施形態では、中空部５の断面形状は略矩形状に形成されているが、これに限定されず、例えば、同図（ｂ）に示すように、略楕円形状などに形成されていてもよい。
本発明の壁紙用目地部材は、その製造時に変形や反りが生じ難くなるので、立設部２の表面部２３や中空部５の内面を曲面状に安定して形成できる。
【００３５】
［第５実施形態］
また、上記第１実施形態において、第１側面部２１及び第２側面部２２は平坦な面からなるが、例えば、図９に示すように、第１側面部２１及び第２側面部２２の一部分に、内方に凹んだ凹み部６が形成されていてもよい。
例えば、図９（ａ）に示す例では、第１側面部２１及び第２側面部２２は、その前方から中途において裏面部２４に対して略直交する平坦面とされ、且つその中途から後方において内方に傾斜した傾斜面とされている。この内方に傾斜した部分が内方に凹んだ凹み部６であり、この図示例の場合、第１側面部２１の一部分（後方部分）及び第２側面部２２の一部分（後方部分）がそれぞれ凹み部６とされている。
また、同図（ｂ）に示す例では、第１側面部２１及び第２側面部２２は、その前方から中途において裏面部２４に対して略直交した平坦面とされ、且つその中途から後方において内方に略コの字状に陥没した段差面とされている。この内方に陥没した部分が内方に凹んだ凹み部６であり、この図示例の場合、第１側面部２１の一部分（後方部分）及び第２側面部２２の一部分（後方部分）が、凹み部６とされている。
【００３６】
このように第１側面部２１及び第２側面部２２が凹み部６を有する壁紙用目地部材１は、図９（ｂ）の二点鎖線で示すように、第１壁紙９１の側端縁を第１側面部２１の凹み部６に嵌め入れることができ、同様に、第２壁紙９２の側端縁を第２側面部２２の凹み部６に嵌め入れることができる。本実施形態の壁紙用目地部材１を用いれば、第１壁紙９１の側端縁及び第２壁紙９２の側端縁を凹み部６によって隠すことができるので、好ましい外観を有する壁紙構造体を得ることができる。さらに、第１壁紙９１の側端縁及び第２壁紙９２の側端縁が凹み部６内に収まるので、その側端縁から壁紙が捲れ難い壁紙構造体を得ることができる。
本発明の壁紙用目地部材は、その製造時に変形や反りが生じ難くなるので、第５実施形態のような複雑な立構造でも安定して形成できる。
【００３７】
［第６実施形態］
上記第１乃至５実施形態の壁紙構造体においては、壁紙用目地部材１が接着剤を用いて壁面１０に取り付けられているが、接着剤に代えて、例えば、公知の粘着テープ（いわゆる、両面粘着テープ）を用いて壁紙用目地部材１が壁面１０に取り付けられていてもよく、接着剤および粘着テープを併用してもよい（図示せず）。
【符号の説明】
【００３８】
１  壁紙用目地部材
２  立設部
２１  第１側面部
２２  第２側面部
２３  表面部
２４  裏面部
３  貼付部
４  スリット
５  中空部
６  パテ剤
９１  第１壁紙
９２  第２壁紙
１０  壁面
【図１】
2014224348.tif 000003
【図２】
2014224348.tif 000004
【図３】
2014224348.tif 000005
【図４】
2014224348.tif 000006
【図５】
2014224348.tif 000007
【図６】
2014224348.tif 000008
【図７】
2014224348.tif 000009
【図８】
2014224348.tif 000010
【図９】
2014224348.tif 000011